(57)【特許請求の範囲】
【請求項１】
被写体光束を反射させるミラー部と、
前記ミラー部に反射された前記被写体光束が結像するピント板と、
液晶層と、前記液晶層を封入する２枚の透明基板と、前記２枚の透明基板の互いに対向する面の一方に載置されて前記液晶層を駆動する駆動ＩＣとを有し、前記ピント板に結像された被写体光学像に重畳して情報を表示する表示パネルと、
前記ミラー部に対して前記被写体光束が入射する側に穴部が設けられた、前記表示パネルを支持する支持部と、
前記穴部に挿通されて前記表示パネルに接続されるフレキシブル基板と
を備え、
前記駆動ＩＣの少なくとも一部は、前記表示パネルを支持した前記支持部の前記穴部の厚みに収まる撮像装置。
【請求項２】
前記駆動ＩＣの高さは、前記２枚の透明板の前記対向する面の高さよりも低い請求項１に記載の撮像装置。
【請求項３】
前記支持部は、前記ピント板も支持する請求項１または２に記載の撮像装置。
【請求項４】
前記フレキシブル基板が挿通される挿通位置において前記支持部から離間するように前記穴部を閉塞する閉塞板を有する請求項１から３のいずれか１項に記載の撮像装置。
【請求項５】
前記支持部に支持され、前記被写体光学像および表示された前記情報をユーザ側へ導くペンタ部と、
前記ペンタ部のうち前記支持部に支持される面とは反対側の上面に配置された回路基板と
を備え、
前記フレキシブル基板は前記回路基板へ接続される請求項１から４のいずれか１項に記載の撮像装置。
【請求項６】
前記表示パネルを照明する照明部と、
前記表示パネルのうち前記フレキシブル基板が引き出される長辺に直交する短辺を含む側面へ前記照明部の照射光を導入するライトガイド部と
を備える請求項１から５のいずれか１項に記載の撮像装置。
【発明の詳細な説明】
【技術分野】
【０００１】
本発明は、ファインダユニットおよび撮像装置に関する。
【背景技術】
【０００２】
撮影レンズユニットを通過した被写体光が結像するピント板の上面に液晶型の表示素子を設け、当該被写体光学像に重畳させてＡＦエリア等を表示するカメラが知られている。
［先行技術文献］
［特許文献］
［特許文献１］  特開２００９−２５３８９９号公報
【発明の概要】
【発明が解決しようとする課題】
【０００３】
しかし、ピント板の近傍はペンタプリズム、シャッタユニットなどの構成部材が集積されており、高機能な表示素子を配設すると、配線の取り廻しが煩雑となっていた。
【課題を解決するための手段】
【０００４】
本発明の第１の態様におけるファインダユニットは、ミラー部に反射された被写体光束を結像させるピント板と、ピント板に結像された被写体光学像に重畳して情報を表示する表示パネルと、ミラー部に対して被写体光束が入射する側に穴部が設けられた、表示パネルを支持する支持部と、被写体光束の周縁側へ偏位した位置において穴部に挿通されて表示パネルに接続されるフレキシブル基板とを備える。また、本発明の第２の態様における撮像装置は、上記のミラー部とファインダユニットとを備える。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】本実施形態に係る一眼レフカメラにおける、光学ファインダ周りを構成する主要部品の分解斜視図である。
【図２】組み立て時における主要部品の相対位置関係を示す斜視図である。
【図３】ペンタボックス周辺の主要部品の相対位置関係を示す斜視図である。
【図４】図３の斜視図に対して、入射開口部側から観察した場合の斜視図である。
【図５】穴部のうち、フレキシブル基板が挿通された部分の断面図である。
【図６】図３の斜視図に対して、一部部品を取り除いた様子を示す図である。
【図７】表示パネルとライトガイドの相対的な位置関係を示す図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係る一眼レフカメラにおける、光学ファインダ周りを構成する主要部品の分解斜視図である。本実施形態に係る一眼レフカメラは、交換可能な撮影レンズが装着されて、被写体像を光学像として観察できる光学ファインダを備えるタイプのデジタルカメラである。
【０００９】
一眼レフカメラは、光学ファインダ周りを構成する主要部品として、レンズマウント１０およびレンズ基板１２を備える。レンズマウント１０は、交換可能な撮影レンズを固定する固定部であり、例えばバヨネット方式が採用される。レンズマウント自体は、図示しない前板に固定されている。レンズ基板１２は、レンズマウント１０と同様に前板に固定された基板である。レンズ基板１２は、撮影レンズがレンズマウント１０に固定されたときに、撮影レンズ側から突出する例えば絞り端子が摺動する回路パターンを備える。したがって、図示するように、レンズ基板１２は、被写体光束が入射するレンズマウント１０の開口円形と同心に、円弧状の部分形状を含む。
【００１０】
一眼レフカメラは、光学ファインダ周りを構成する主要部品として、ミラー部２０、ペンタボックス３０およびペンタプリズム６０を備える。ミラー部２０は、入射する被写体光束の光軸に直交する方向を回転軸として、前板により回動可能に軸支されている。ミラー部２０は、図示する斜設状態において、入射する被写体光束をペンタプリズム６０の方向へ反射する。また、ミラー部２０は、被写体光束とは交差しない待避状態において、入射する被写体光束を図示しない撮像素子の方向へ導く。
【００１１】
ペンタボックス３０は、ペンタプリズム６０を収容して支持する支持部材である。ペンタボックス３０自体は、前板に支持されて固定される。ペンタプリズム６０は、入射する被写体光学像を反転させて正立像としてユーザに観察させる光学素子である。もちろん、複数のミラーを組み合わせて同様に機能を有する中空ペンタミラーであっても構わない。したがって、ペンタボックス３０は、図示するように、被写体光束をペンタプリズム６０へ入射させる入射開口部３２と、ペンタプリズム６０が射出する被写体光束をユーザへ導く射出開口部３３を備える。
【００１２】
一眼レフカメラは、光学ファインダ周りを構成する主要部品として、ピント板４０、表示パネル５０および閉塞板８０を備える。ピント板４０は、撮像素子の受光面に対して共役の位置となるようにペンタボックス３０に支持される拡散板である。したがって、ユーザは、ミラー部２０で反射されてピント板４０に結像する被写体光学像を、ペンタプリズム６０を介して観察することができる。
【００１３】
表示パネル５０の表示部は、情報の非表示状態においては被写体光学像を透過する。一方、情報の表示状態においては、ピント板４０に結像された被写体光学像に重畳して情報を表示する。例えば、焦点検出領域に対応して設けられたセグメントの液晶が拡散状態になり、特定の表示パターンが被写体光学像に重なって視認可能となる。具体的には、情報としての表示パターンが、被写体光学像にスーパーインポーズされ、ペンタプリズム６０を介してユーザ側に導かれる。表示する情報としては、焦点検出領域以外にも、電池の残容量、水平垂直の指標、露出値などが挙げられる。表示パネルの詳細な構造については後述する。
【００１４】
表示パネル５０は、ペンタボックス３０のうち、ミラー部２０に対して被写体光束が入射する側の側面に設けられた穴部３１に挿入されて組み込まれ、ペンタボックス３０に支持される。このとき、穴部３１と表示パネル５０の隙間からペンタボックス３０内へ進入する迷光および塵埃を遮断すべく、閉塞板８０が、表示パネル５０が挿入された穴部３１を閉塞する。
【００１５】
一眼レフカメラは、光学ファインダ周りを構成する主要部品として、ペンタ基板７０、ライトガイド９０およびＬＥＤ９２を備える。ペンタ基板７０は、ペンタプリズム６０のうちペンタボックス３０に支持される面の側（ピント板４０に対向する入射面側）とは反対側の上面に隣接して配置される。ペンタ基板７０にはさまざまな回路が集積されており、後述するように、表示パネル５０もペンタ基板７０に電気的に接続される。ライトガイド９０は、ペンタボックス３０のうち、入射開口部３２と射出開口部３３が設けられた両面に直交する側面に配設される。ライトガイド９０は、照明部としてのＬＥＤ９２の照射光を表示パネル５０へ導入する。具体的な構成については後述する。
【００１６】
図２は、組み立て時における光学ファインダ周りの主要部品の相対位置関係を示す斜視図である。上述のように、レンズ基板１２は、円弧状の部分形状を有するが、この円弧形状の端付近から、表示パネル５０を構成するフレキシブル基板５１が引き出される。フレキシブル基板５１の端は、ペンタ基板７０から伸延する接続部７１に設けられたコネクタ７２に接続される。
【００１７】
図３は、図２の主要部品のうち、レンズ基板１２とその関連部品、および閉塞板８０を取り除いた場合の、ペンタボックス３０周辺の主要部品の組み立て斜視図である。上述のように、穴部３１は、レンズマウント１０の側である被写体光束が入射する側面に設けられている。そして、組み立て時においては、表示パネル５０が挿入される。つまり、穴部３１は、表示パネル５０の長辺の長さに合わせて直線状の形状をなす。この場合、被写体光束の光軸からの距離は、穴部３１の中央付近で短く、両端付近で長い。すなわち、レンズ基板１２との相対的な関係においては、レンズマウント１０の側から見た場合に、穴部３１の中央付近とレンズ基板１２の円弧形状内周部とが重なり合い、穴部３１の端付近とレンズ基板１２の円弧形状外周部とが重なり合う。
【００１８】
このとき、フレキシブル基板５１を穴部３１の中央付近から引き出すと、レンズ基板１２との干渉が大きくなり、過剰なストレスをフレキシブル基板５１へ与えてしまう。ましてや、フレキシブル基板５１が穴部３１の全長に亘るような形状であると、取り回しの制限も大きくなる。したがって、フレキシブル基板５１は、図示するように、穴部３１の端部近傍、別言すれば穴部３１のうち被写体光束に対して周縁側へ偏位した位置において引き出される配置および形状が望ましい。
【００１９】
図４は、図３の斜視図に対して、入射開口部３２側から観察した場合の斜視図である。ピント板４０は、入射開口部３２の開口下方から平行に持ち上げられてペンタボックス３０へ突き当てられ、固定される。一方、表示パネル５０は、上述のように、側面に設けられた穴部３１から挿入されて、ペンタボックス３０に固定される。したがって、ピント板４０と表示パネル５０は、ミラー部２０からペンタプリズム６０の入射面へ向かってこの順番に隣接して配設される。ピント板４０の拡散面は被写体光束の一次結像面であるので、この近傍に配置された表示パネル５０の情報も、ユーザによって良好に観察され得る。
【００２０】
図５は、ペンタボックス３０の穴部３１のうち、フレキシブル基板５１が挿通された部分の断面図である。表示パネル５０は、セグメントを構成する液晶層を封入する第１透明板５２と第２透明板５３を有する。これらの透明板には透明電極が配されており、液晶層と駆動ＩＣ５４とを結ぶ。駆動ＩＣ５４は、ＣＯＧ（Ｃｈｉｐ  Ｏｎ  Ｇｌａｓｓ）により第１透明板５２の面上に載置されている。より具体的には、第１透明板５２の面のうち、第２透明板５３と対向する対向面に接して実装されている。駆動ＩＣ５４は、フレキシブル基板５１に接続されており、フレキシブル基板５１を介して入力される駆動信号に従って、液晶層を駆動する。
【００２１】
また、駆動ＩＣ５４は、表示パネル５０が穴部３１に挿入されて固定されたときに、少なくともその一部が穴部３１の厚みに納まるように配設されている。すなわち、組み立て後の駆動ＩＣ５４の位置は、穴部３１の深さ方向において、穴部３１と少なくとも一部が一致する。さらに、駆動ＩＣ５４の高さは、第２透明板５３の高さよりも低い。すなわち、略矩形に設けられた穴部３１の短辺方向の高さは、表示パネル５０を挿通させることを考慮しても、第１透明板５２と第２透明板５３を重ね合わせた高さよりも大きければ十分である。このような相対的な位置関係を採用することにより、表示パネル５０の端部が穴部３１から突出させることなく、また、表示パネル５０の表示面をより大きくすることができるので、スペース活用の観点から好ましい。
【００２２】
また、図５は、表示パネル５０が穴部３１に挿通されて固定された後に、閉塞板８０が穴部３１を閉塞する様子を示す。具体的には、閉塞板８０は、駆動ＩＣ５４に接続されるフレキシブル基板５１が挿通される挿通位置においては、フレキシブル基板５１がペンタプリズム６０の方向へ折り曲げられる曲率半径を考慮して設定された間隙の分だけペンタボックス３０から離間して穴部３１を閉塞する。その他の位置においては、ペンタボックス３０に接して穴部３１を閉塞する。閉塞板８０は、例えばプレス加工により挿通位置が折り曲げられて形成される。
【００２３】
図６は、図３の斜視図に対して、ペンタプリズム６０およびペンタ基板７０を取り除いた様子を示す図である。上述のように、ペンタボックス３０は、ペンタプリズム６０を収容して支持する開放型の箱形形状をなすと共に、ピント板４０、表示パネル５０、ライトガイド９０などを支持すべく、所々に位置決め部、固定部等を有する。さらには、射出開口部３３の外側において接眼光学系を保持する保持機能も有する。なお、各部品の支持、固定に対しては、各部品とペンタボックス３０との間で支持部材、緩衝部材、押さえ部材、ビス、接着剤などを適宜利用することができる。ペンタボックス３０は、例えばモールド成形により一体的に形成される。これにより、ピント板４０から接眼光学系へ至る光学関連部品の相対的な位置関係を厳密に保つことができる。
【００２４】
図７は、表示パネル５０とライトガイド９０の相対的な位置関係を示す図である。ライトガイド９０は、表示パネル５０の短辺側、すなわち表示パネル５０のうちフレキシブル基板５１が引き出される長辺に直交する短辺を含む側面へ照射光を入射させる。具体的には、ライトガイド９０は、ＬＥＤ９２からの照射光を入射面９３で入射し、反射面９４で表示パネル５０の側面方向へ反射して、射出面９５から射出する。表示パネル５０へ入射された照射光は、拡散状態にある液晶で拡散され、ユーザに視認される。したがって、一眼レフカメラの制御部は、周辺環境が暗い状況等においてＬＥＤ９２を点灯させれば、表示パターンの視認性を向上させることができる。
【００２５】
以上の実施形態においては、表示パネル５０の例として、液晶層が２枚の透明板に密封され、特定の表示パターンを表示する液晶パネルを例に説明した。しかし、表示パネル５０としては、透過型の表示パネルであれば、ドットマトリックスにより任意の情報を表示できる液晶パネルを採用することもできるし、液晶パネル以外の例えば有機ＥＬパネルを採用することもできる。また、上記の説明においては、一眼レフカメラの例としてデジタルカメラを採用したが、もちろん本実施形態に係る概念は、フィルムカメラにおいても適用することができる。
【００２６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００２７】
１０  レンズマウント、１２  レンズ基板、２０  ミラー部、３０  ペンタボックス、３１  穴部、３２  入射開口部、３３  射出開口部、４０  ピント板、５０  表示パネル、５１  フレキシブル基板、５２  第１透明板、５３  第２透明板、５４  駆動ＩＣ、６０  ペンタプリズム、７０  ペンタ基板、７１  接続部、７２  コネクタ、８０  閉塞板、９０  ライトガイド、９２  ＬＥＤ、９３  入射面、９４  反射面、９５  射出面
【図１】
0005720410.tif 000002
【図２】
0005720410.tif 000003
【図３】
0005720410.tif 000004
【図４】
0005720410.tif 000005
【図５】
0005720410.tif 000006
【図６】
0005720410.tif 000007
【図７】
0005720410.tif 000008